(57)【要約】      （修正有）【課題】文字板本体と時計用植字とを組み立てて時計用文字板を製造する際、その製造を容易に行なうことが可能な構造を有する時計用文字板、および、かかる時計用文字板を備える時計を提供する。【解決手段】板状をなす文字板本体３と、文字板本体３の表側に露出するように設置される少なくとも２つの時計用植字４と、時計用植字４同士を文字板本体３の裏側で連結する連結部とを有する植字連結体６と、を備え、前記連結部は、ゲートで構成されていることを特徴とする時計用文字板。【選択図】図９
2019158817.tif 000002
【特許請求の範囲】
【請求項１】
文字板本体と、
前記文字板本体の表側に露出するように設置される少なくとも２つの時計用植字と、前記時計用植字同士を前記文字板本体の裏側で連結する連結部とを有する植字連結体と、を備え、
前記連結部は、ゲートで構成されていることを特徴とする時計用文字板。
【請求項２】
前記植字連結体は、前記時計用植字と前記連結部とが射出成形により一体的に成形されたものであり、
前記ゲートは、前記射出成形で前記植字連結体の構成材料である溶融状態の材料がキャビティーに向かう部分であることを特徴とする請求項１に記載の時計用文字板。
【請求項３】
前記連結部は、板状または棒状であることを特徴とする請求項１または２に記載の時計用文字板。
【請求項４】
前記各時計用植字は、板状であり、
前記連結部は、前記各時計用植字の厚さよりも薄いことを特徴とする請求項３に記載の時計用文字板。
【請求項５】
前記連結部の厚さは、０．１ｍｍ以上１ｍｍ以下であることを特徴とする請求項３または４に記載の時計用文字板。
【請求項６】
前記連結部は、前記文字板本体の面方向に沿って配置されることを特徴とする請求項１ないし５のいずれか１項に記載の時計用文字板。
【請求項７】
前記文字板本体と前記連結部との間には、間隙が設けられていることを特徴とする請求項１ないし６のいずれか１項に記載の時計用文字板。
【請求項８】
前記植字連結体には、少なくとも前記各時計用植字にめっき層が形成されていることを特徴とする請求項１ないし７のいずれか１項に記載の時計用文字板。
【請求項９】
前記文字板本体は、前記植字連結体を固定する固定部を有することを特徴とする請求項１ないし８のいずれか１項に記載の時計用文字板。
【請求項１０】
前記固定部は、前記文字板本体の裏側に突出した突出部を有することを特徴とする請求項９に記載の時計用文字板。
【請求項１１】
前記突出部は、変形することにより、前記植字連結体を前記文字板本体に固定することを特徴とする請求項１０に記載の時計用文字板。
【請求項１２】
請求項１ないし１１のいずれか１項に記載の時計用文字板を備えることを特徴とする時計。
【発明の詳細な説明】
【技術分野】
【０００１】
本発明は、時計用文字板および時計に関する。
【背景技術】
【０００２】
腕時計等の時計には、文字板（表示板）が内蔵されている。この文字板としては、例えば、板状をなす文字板本体（上側部材または下側部材）と、文字板本体に固定された時字表示体（略字部材）とを備えるものが知られている（例えば、特許文献１参照）。この特許文献１に記載の文字板は、１つずつ個片化された１２個の時字表示体を備えている。
【先行技術文献】
【特許文献】
【０００３】
【特許文献１】特開２０１０−２２３７８５号公報
【発明の概要】
【発明が解決しようとする課題】
【０００４】
しかしながら、特許文献１では、文字板を製造する際、時字表示体を１つずつ文字板本体に固定して組み立てなければならず、その組立作業が煩雑となる。また、複数の時字表示体に対して、例えば一括してめっき処理を施す場合、各時字表示体同士がめっき槽内で擦れ合って傷がつくことがあり、処理精度（歩留まり）が低下する。
【０００５】
本発明の目的は、文字板本体と時計用植字とを組み立てて時計用文字板を製造する際、その製造を容易に行なうことが可能な構造を有する時計用文字板、および、かかる時計用文字板を備える時計を提供することにある。
【課題を解決するための手段】
【０００６】
本発明は、上述の課題を解決するためになされたものであり、以下のものとして実現することが可能である。
【０００７】
本発明の時計用文字板は、文字板本体と、
前記文字板本体の表側に露出するように設置される少なくとも２つの時計用植字と、前記時計用植字同士を前記文字板本体の裏側で連結する連結部とを有する植字連結体と、を備え、
前記連結部は、ゲートで構成されていることを特徴とする。
【０００８】
本発明の時計は、本発明の時計用文字板を備えることを特徴とする。
【図面の簡単な説明】
【０００９】
【図１】図１は、本発明の時計を腕時計に適用した場合の第１実施形態を示す斜視図である。
【図２】図２は、図１中の矢印Ａ方向から見た図である。
【図３】図３は、図１に示す腕時計が備える時計用文字板の植字連結体を製造する過程を順に示す縦断面図である。
【図４】図４は、図１に示す腕時計が備える時計用文字板の植字連結体を製造する過程を順に示す縦断面図である。
【図５】図５は、図１に示す腕時計が備える時計用文字板の植字連結体を製造する過程を順に示す縦断面図である。
【図６】図６は、図１に示す腕時計が備える時計用文字板の植字連結体を製造する過程を順に示す縦断面図である。
【図７】図７は、図１に示す腕時計が備える時計用文字板を製造する過程を順に示す縦断面図である。
【図８】図８は、図１に示す腕時計が備える時計用文字板を製造する過程を順に示す縦断面図である。
【図９】図９は、図１に示す腕時計が備える時計用文字板を製造する過程を順に示す縦断面図（図２中のＡ−Ａ線断面図）である。
【図１０】図１０は、本発明の時計を腕時計に適用した場合（第２実施形態）の当該腕時計が備える時計用文字板を製造する過程を順に示す縦断面図である。
【図１１】図１１は、本発明の時計を腕時計に適用した場合（第２実施形態）の当該腕時計が備える時計用文字板を製造する過程を順に示す縦断面図である。
【発明を実施するための形態】
【００１０】
以下、本発明の時計用文字板および時計を添付図面に示す好適な実施形態に基づいて詳細に説明する。
【００１１】
＜第１実施形態＞
図１は、本発明の時計を腕時計に適用した場合の第１実施形態を示す斜視図である。図２は、図１中の矢印Ａ方向から見た図である。図３〜図６は、それぞれ、図１に示す腕時計が備える時計用文字板の植字連結体を製造する過程を順に示す縦断面図である。図７〜図９は、それぞれ、図１に示す腕時計が備える時計用文字板を製造する過程を順に示す縦断面図である。なお、以下では、説明の都合上、腕時計の時刻が表示される側（カバーガラス側）を「表」、腕に装着される側（裏蓋側）を「裏」と言う。また、図３〜図９中（図１０および図１１についても同様）の上側を「上」、下側を「下」と言うことがある。
【００１２】
図９に示すように、本発明の時計用文字板２は、板状をなす文字板本体３と、文字板本体３の表側に露出するように設置される少なくとも２つ（本実施形態では２つ）とを有する植字連結体６と、を備えている。この植字連結体６では、各時計用植字４と連結部５とは、射出成形により一体的に形成されている。そして、植字連結体６の連結部５は、ゲート７で構成されている。ここで、「ゲート」とは、一般的には、成形品が得られた後に、この成形品から切断・分離され、廃棄される部分のことであるが、本発明では、このゲートをそのまま利用している。なお、植字連結体６での時計用植字４の連結数は、本実施形態では２つであるが、これに限定されず、例えば、３つ以上であってもよい。
【００１３】
このように本発明によれば、植字連結体６では、連結部５を介して、２つの時計用植字４が連結された構造となっている。この構造により、文字板本体３と時計用植字４とを組み立てて時計用文字板２を製造する際、例えば時計用植字４が１つずつ個片化されていた場合に比べて、２つの時計用植字４を文字板本体３に組み込む作業を迅速に行なうことができる。これにより、時計用文字板２の製造を容易に行なうことが可能となる。また、連結部５は、後述するように本来であれば除去される（廃棄される）ゲート７を利用しているため、２つの時計用植字４を連結する部分を、連結部５とは別に設けるのを省略することができる。これにより、植字連結体６を簡単な構成のものとすることができ、よって、例えば、成形時の歩留まりを向上させることができる。また、連結部５（ゲート７）は、文字板本体３の裏側に位置するため、時計１の視認性や審美性に悪影響を及ぼすこともない。
【００１４】
また、図１、図２に示すように、本発明の時計１は、本発明の時計用文字板２を備える。これにより、前述した時計用文字板２の利点を持つ時計１が得られる。また、時計１の使用者は、時計用文字板２により時刻を認識することができる。
【００１５】
以下、各部の構成について説明する。
図１に示す時計１は、胴（ケース）１１と、裏蓋１３と、カバーガラス（風防）１５と、バンド１６とを備えている。また、時計１の内部空間、すなわち、胴１１と裏蓋１３とカバーガラス１５とで囲まれた空間には、ムーブメント１０や時計用文字板２等が収納されている。
【００１６】
ムーブメント１０には、時針１０１、分針１０２、秒針１０３が回転可能に支持されており、ムーブメント１０とともに時計１内に収納されている。また、胴１１の外周部には、巻真１０４を介してムーブメント１０に連結されたりゅうず１２が時計１の外側に引出可能に挿入されている。このりゅうず１２を１段位置に引き出すと、時計１が時刻修正モードに設定され、図示しない別途設けられたスイッチを押下操作することにより時針１０１および分針１０２の位置を調整することができる。なお、りゅうず１２を回転可能に挿入し、このりゅうず１２を、例えば１段位置に引き出し、かつ、回転操作することにより、その回転力がムーブメント１０に伝達されて、時針１０１および分針１０２の位置を調整することができるようにしてもよい。
【００１７】
図２に示すように、時計用文字板２は、板状をなす文字板本体３と、文字板本体３に設置された複数（図示では６個）の植字連結体６と、を備えている。
【００１８】
文字板本体３は、円形をなす板部材で構成されている。なお、文字板本体３の平面形状としては、本実施形態では円形であるが、これに限定されず、例えば、楕円形、四角形等のような多角形、これらを組み合わせた形状等であってもよい。
【００１９】
文字板本体３の中心部には、貫通孔（第１貫通孔）３１が形成されている。この貫通孔３１には、時針１０１、分針１０２、秒針１０３を支持する回動軸（図示せず）が挿通している。
【００２０】
また、図７〜図９に示すように、文字板本体３には、各植字連結体６の時計用植字４が配置される位置に、時計用植字４が挿入される貫通孔（第２貫通孔）３２が形成されている。そして、時計用植字４は、貫通孔３２に挿入された際に、この貫通孔３２に嵌合することができる。これにより、植字連結体６が文字板本体３に対して固定される。このように文字板本体３は、植字連結体６を固定する固定部３３を有するものとなっている。そして、本実施形態では、この固定部３３は、文字板本体３を貫通して形成された貫通孔３２を有する。これにより、固定部３３は、植字連結体６の時計用植字４と嵌合するという簡単な構成の貫通孔３２で、植字連結体６を安定して固定することができる。そして、この固定された植字連結体６は、文字板本体３から離脱するのが防止され、よって、時計１を長期的に使用することができる。
【００２１】
文字板本体３の構成材料としては、特に限定されず、例えば、アルミニウム等のような金属材料、ポリカーボネート等のような樹脂材料等を用いることができる。
【００２２】
また、文字板本体３は、単層のものであってもよいし、複数の層を有する積層体であってもよい。
【００２３】
文字板本体３の厚さｔ３（図７参照）としては、特に限定されず、例えば、０．５ｍｍ以上２ｍｍ以下であるのが好ましく、０．５ｍｍ以上１ｍｍ以下であるのがより好ましい。
【００２４】
図２に示すように、文字板本体３には、６個の植字連結体６が固定されている。各植字連結体６は、２つの時計用植字４と、時計用植字４同士を連結する連結部５とを有している。本実施形態では、時計用文字板２は、合計１２個の時計用植字４を有している。これらの時計用植字４は、略字であり、文字板本体３の中心から放射状に延びた棒状（バーインデックス）をなしている。そして、これらの時計用植字４は、文字板本体３の中心（貫通孔３１）回りに等角度間隔に配置される。また、時計用植字４は、略字に限定されず、例えば、算用数字（アラビア数字）やローマ数字等のような数字あってもよい。また、略字と数字との組み合わせであってもよい。また、各植字連結体６での時計用植字４の連結数は、本実施形態では２つであるが、これに限定されず、例えば、３つ以上であってもよい。また、植字連結体６の配置数は、本実施形態では６個であるが、これに限定されず、例えば、時計１（時計用文字板２）のデザインに応じて、適宜変更することができる。
【００２５】
各植字連結体６は、文字板本体３での配置箇所が異なること以外は、同じ構成であるため、以下、代表的に１つの各植字連結体６について説明する。
【００２６】
前述したように、植字連結体６は、２つの時計用植字４と、時計用植字４同士を連結する連結部５とを有している。
【００２７】
図５〜図９に示すように、２つの時計用植字４は、離間して隣り合って配置されている。
【００２８】
各時計用植字４は、板状（小片状）をなし、その全長Ｌ４（図２参照）は、時計１の大きさにもよるが、例えば、１ｍｍ以上７ｍｍ以下であるのが好ましく、２ｍｍ以上５ｍｍ以下であるのがより好ましい。
【００２９】
また、各時計用植字４は、段差を有し、その段差部を境界部として、表側の幅が狭い第１板状部４１と、裏側の幅が広い第２板状部４２とに分けることができる。
【００３０】
前述したように、図７〜図９は、それぞれ、図１に示す腕時計が備える時計用文字板を製造する過程を順に示す縦断面図である。そして、図７〜図９に示すように、各時計用植字４は、第１板状部４１を文字板本体３の裏側から貫通孔３２に挿入した際、第１板状部４１が文字板本体３の表側に露出するように設置される。また、その挿入の際、各時計用植字４は、第２板状部４２が文字板本体３の裏側の面３４に当接する。これにより、各第１板状部４１の挿入限界が規制され、よって、文字板本体３に対する各第１板状部４１の厚さ方向（図８、図９中の上下方向）位置が揃う。これにより、見栄えが良くなり、時計用文字板２（時計１）の審美性が高まる。
【００３１】
なお、第１板状部４１の厚さｔ４１（図７参照）は、特に限定されないが、例えば、文字板本体３の厚さｔ３の１倍以上２倍以下であるのが好ましく、１倍以上１．５倍以下であるのがより好ましい。
【００３２】
第２板状部４２の厚さｔ４２（図７参照）は、特に限定されないが、例えば、第１板状部４１の厚さｔ４１の１倍以上２倍以下であるのが好ましく、１倍以上１．５倍以下であるのがより好ましい。
【００３３】
また、第１板状部４１の幅Ｗ４１（図７参照）は、時計１の大きさにもよるが、例えば、０．５ｍｍ以上５ｍｍ以下であるのが好ましく、１ｍｍ以上２ｍｍ以下であるのがより好ましい。
【００３４】
第２板状部４２の幅Ｗ４２（図７参照）は、例えば、第１板状部４１の幅Ｗ４１の１．２倍以上２倍以下であるのが好ましく、１．２倍以上１．５倍以下であるのがより好ましい。
なお、各時計用植字４は、幅が急峻に変化せずに、一定のものであってもよい。
【００３５】
このような構成の時計用植字４同士は、図９に示すように、文字板本体３の裏側で、連結部５を介して連結されている。なお、連結部５による連結範囲としては、例えば、本実施形態では、一方の時計用植字４（第２板状部４２）の裏側の面４２１の幅方向の中央部４２２と、他方の時計用植字４（第２板状部４２）の裏側の面４２１の幅方向の中央部４２２との間となっているが、これに限定されない。
【００３６】
連結部５は、板状または棒状をなすのが好ましい。これにより、連結部５が比較的簡単な形状となり、よって、成形が容易となる。また、時計１内での連結部５の占有率を抑えることができ、よって、時計１の内部構造を設計する際、その自由度が向上したり、時計１の小型化にも寄与する。
【００３７】
なお、図２に示すように、平面視で、連結部５は、時計用文字板２（文字板本体３）の周方向に沿った円弧状をなすのが好ましい。
【００３８】
図９に示すように、連結部５は、文字板本体３の面方向に沿って、すなわち、文字板本体３の裏側の面３４と平行に配置されている。これにより、連結部５が裏側に過剰に突出する、すなわち、出っ張るのを防止することができ、よって、例えば、時計１を薄型のものにしたい場合、その薄型化が可能となる。
【００３９】
また、文字板本体３の裏側の面３４と、連結部５の表側の面５１との間には、間隙２０が形成されている。例えば、文字板本体３の裏側の面３４から何らかの突出部が突出している場合、この突出部が入り込む逃げ部として、間隙２０を用いることができ、よって、連結部５との干渉を防止することができる。
【００４０】
このような構成の連結部５は、２つの時計用植字４と一体的に形成されている。そして、植字連結体６の構成材料としては、特に限定されないが、射出成形可能な材料であるのが好ましい。好ましく、例えば、文字板本体３の構成材料と同様のポリカーボネートや、その他、ポリエチレン、ポリプロピレン、ポリスチレン、ポリアミド、アクリル系樹脂、ポリ塩化ビニル、ポリフェニレンサルファイド（ＰＰＳ）、ポリエーテルエーテルケトン（ＰＥＥＫ）、ポリエステル等の熱可塑性樹脂を用いることができる。
【００４１】
後述するように、植字連結体６は、金型３０を用いて、好ましくは、射出成型により成形される。そして、連結部５は、ゲート７で構成されている。
【００４２】
一般的に、離型後の成形品には、成形品側から順に、ゲート、ランナーが接続されている。ゲートやランナーは、不要な部分であるため、離型後の成形品は、ゲートでランナーごと切断・分離される。このように「ゲート」とは、成形品が得られた後に、この成形品から切断・分離され、廃棄される部分のことである。
【００４３】
植字連結体６では、連結部５は、「ゲート（ゲート７）」であるが、離型後は切断されず、文字板本体３に組み込まれた後もそのまま残ることとなる（図９参照）。
【００４４】
また、前述したように、各時計用植字４は、板状をなしている。そして、連結部５は、その厚さｔ５（図７参照）が各時計用植字４の厚さ（総厚ｔ４（＝厚さｔ４１＋厚さｔ４２））よりも薄い部分となっている。
【００４５】
そして、植字連結体６では、この連結部５を介して、２つの時計用植字４が連結された構造となっている。この構造により、文字板本体３と時計用植字４とを組み立てて時計用文字板２を製造する際、例えば時計用植字４が１つずつ個片化されていた場合に比べて、２つの時計用植字４を文字板本体３の貫通孔３２に差し込む作業を迅速に行なうことができる。これにより、時計用文字板２の製造を容易に行なうことが可能となる。また、連結部５は、本来であれば廃棄されるゲート７を利用しているため、２つの時計用植字４を連結する部分を、連結部５とは別に設けるのを省略することができる。これにより、植字連結体６を簡単な構成のものとすることができ、よって、例えば、成形時の歩留まりを向上させることができる。
【００４６】
特に、連結部５の厚さｔ５は、例えば、０．１ｍｍ以上１ｍｍ以下であるのが好ましく、０．１ｍｍ以上０．５ｍｍ以下であるのがより好ましい。これにより、連結部５は、可撓性を有する部分となる。例えば、隣り合う貫通孔３２同士のピッチと、隣り合う時計用植字４同士のピッチとが若干（例えば０．０５ｍｍ以上０．１ｍｍ以下）異なっていた、すなわち、双方のピッチ同士間に誤差が生じていた場合でも、連結部５が撓んで、その誤差分を吸収することができる。これにより、貫通孔３２に時計用植字４を円滑に挿入することができる。このように、連結部５は、文字板本体３と植字連結体６とを組み立てる際、その組み立て誤差を吸収する緩衝部となり、組立作業性が向上する。
【００４７】
また、連結部５の幅Ｗ５（図２参照）は、時計用植字４の全長Ｌ４にもよるが、例えば、１ｍｍ以上５ｍｍ以下であるのが好ましく、１ｍｍ以上２ｍｍ以下であるのがより好ましい。
【００４８】
図５〜図８に示すように、連結部５（ゲート７）の裏側の面５２の中央部には、柱状をなすランナー８が突出している。図９に示すように、このランナー８は、植字連結体６が文字板本体３に組み込まれた後に除去される。
【００４９】
ランナー８は、連結部５との境界部に、外径が連結部５側に向かって漸減したテーパー部８１を有している。これにより、ランナー８は、テーパー部８１で脆弱なものとなり、よって、連結部５から除去される際、テーパー部８１で折り曲げて破断させることができる。これにより、ランナー８の除去作業を容易に行なうことができる。
【００５０】
なお、ランナー８は、植字連結体６を文字板本体３に組み込む際に把持される把持部として用いることができる。これにより、この組み込み作業を迅速かつ容易に行なうことができる。
【００５１】
図６〜図９に示すように、植字連結体６には、少なくとも各時計用植字４にめっき層９が形成されているのが好ましい。これにより、各時計用植字４は、光沢を有する部分となり、よって、時計１に高級感が得られる。
【００５２】
なお、めっき層９は、主にクロムで構成されているもの、すなわち、クロムめっきであるのが好ましいが、これに限定されず、例えば、ニッケルめっき、クロム、ニッケル、鉄、その他の金属を含む合金めっき等で構成されていてもよい。
【００５３】
なお、めっき層９は、２層以上の積層体であってもよい。この場合、例えば、第１のめっき層と、第１のめっき層とは組成が異なる第２のめっき層の積層体が挙げられる。
【００５４】
めっき層９の厚さｔ９（図７参照）は、特に限定されず、例えば、５μｍ以上１００μｍ以下であるのが好ましく、５μｍ以上５０μｍ以下であるのがより好ましい。
【００５５】
また、めっき層９は、本実施形態では各時計用植字４の他に、連結部５およびランナー８にも形成されているが、これに限定されず、連結部５やランナー８での形成を省略することができる。
【００５６】
次に、植字連結体６の製造方法について、図３〜図６を参照しつつ説明する。
【００５７】
［Ａ１］金型用意工程
まず、図３に示すように、金型３０を用意する。この金型３０は、上金型（第１金型）３０１と、下金型（第２金型）３０２とで構成されている。また、金型３０は、内部に、２つのキャビティー３０３と、各キャビティー３０３に連通するゲート３０４と、ゲートに連通するランナー３０５とを有している。
各キャビティー３０３では、時計用植字４が成形される。
【００５８】
ゲート３０４では、連結部５（ゲート７）が成形される。ゲート３０４は、非制限ゲートであるのが好ましいが、制限ゲートであってもよい。
ランナー３０５では、ランナー８が成形される。
【００５９】
［Ａ２］樹脂材射出工程
次いで、金型３０のランナー３０５にノズル（図示せず）を接続して、図４に示すように、このノズルから溶融状態の樹脂材料６’を射出する。これにより、樹脂材料６’は、ランナー３０５、ゲート３０４を順に経て、各キャビティー３０３内に充填される。なお、樹脂材料６’は、植字連結体６の構成材料である。
【００６０】
そして、樹脂材料６’が各キャビティー３０３内に十分に充填された後、金型３０内で樹脂材料６’を冷却、固化し、その後、型開きを行なう。これにより、図５に示す状態の植字連結体６が得られる。
【００６１】
［Ａ３］めっき層形成工程
次いで、図６に示すように、植字連結体６全体にめっき層９を形成する。なお、めっき層９の形成方法としては、特に限定されず、例えば、湿式めっき法、乾式めっき法、または、これらを組み合わせた方法等を用いることができる。
【００６２】
また、植字連結体６では、２つの時計用植字４が連結部５を介して連結されている。これにより、１つ植字連結体６に対して、２つの時計用植字４を一括してめっき処理を行なうことができる。これにより、めっき層９の形成を迅速に行うことができる。
【００６３】
このような工程を経ることにより、めっき層９が形成された植字連結体６を製造することができる。
【００６４】
次に、時計用文字板２の製造方法について、図７〜図９を参照しつつ説明する。
［Ｂ１］部材用意工程
まず、図７に示すように、文字板本体３と、植字連結体６とを用意する。
【００６５】
［Ｂ２］部材組立工程
次いで、図８に示すように、植字連結体６を文字板本体３の裏側に配置して、植字連結体６の各時計用植字４を、当該各時計用植字４に対応する文字板本体３の貫通孔３２に挿入する。これにより、各時計用植字４が貫通孔３２に嵌合し、よって、植字連結体６が文字板本体３に対して固定される。
【００６６】
また、この工程でも、依然として、２つの時計用植字４が連結部５を介して連結されている。これにより、ほぼ同時に、２つの時計用植字４を貫通孔３２に挿入させることができ、よって、植字連結体６と文字板本体３との組み立てを迅速に行なうことができる。
【００６７】
［Ｂ３］ランナー除去工程
次いで、連結部５からランナー８を除去する。この除去方法としては、前述したように、ランナー８を、テーパー部８１で折り曲げて破断させることにより可能である。
これにより、図９に示す状態の時計用文字板２が得られる。
【００６８】
そして、このような工程を、６個の植字連結体６に対して行なえば、各植字連結体６が文字板本体３に固定された時計用文字板２が得られる。
【００６９】
＜第２実施形態＞
図１０および図１１は、それぞれ、本発明の時計を腕時計に適用した場合（第２実施形態）の当該腕時計が備える時計用文字板を製造する過程を順に示す縦断面図である。
【００７０】
以下、これらの図を参照して本発明の時計用文字板および時計の第２実施形態について説明するが、前述した実施形態との相違点を中心に説明し、同様の事項はその説明を省略する。
【００７１】
本実施形態は、時計用文字板の固定部の構成が異なること以外は前記第１実施形態と同様である。
【００７２】
図１０に示すように、固定部３３は、文字板本体３の裏側にピン状に突出形成された突出部３５を有している。突出部３５は、１つの貫通孔３２に対して、２つ形成されている。また、これら２つの突出部３５は、貫通孔３２を介して、その両側に配置されている。
【００７３】
また、植字連結体６には、各突出部３５が挿通する貫通孔６１が形成されている。そして、図１１に示すように、突出部３５は、貫通孔６１を挿通した状態で、α３５方向に折り曲げて変形することにより、植字連結体６の裏側から係合し、よって、植字連結体６を文字板本体３に固定することができる。
【００７４】
このような構成の固定部３３により、文字板本体３に対し、植字連結体６をより強固に固定することができる。
【００７５】
以上、本発明の時計用文字板および時計を図示の実施形態について説明したが、本発明は、これに限定されるものではなく、時計用文字板および時計を構成する各部は、同様の機能を発揮し得る任意の構成のものと置換することができる。また、任意の構成物が付加されていてもよい。
【００７６】
また、本発明の時計用文字板および時計は、前記各実施形態のうちの、任意の２以上の構成（特徴）を組み合わせたものであってもよい。
【符号の説明】
【００７７】
１…時計、２…時計用文字板、３…文字板本体、３１…貫通孔（第１貫通孔）、３２…貫通孔（第２貫通孔）、３３…固定部、３４…裏側の面、３５…突出部、４…時計用植字、４１…第１板状部、４２…第２板状部、４２１…裏側の面、４２２…中央部、５…連結部、５１…表側の面、５２…裏側の面、６…植字連結体、６’…樹脂材料、６１…貫通孔、７…ゲート、８…ランナー、８１…テーパー部、９…めっき層、１０…ムーブメント、１０１…時針、１０２…分針、１０３…秒針、１０４…巻真、１１…胴（ケース）、１２…りゅうず、１３…裏蓋、１５…カバーガラス（風防）、１６…バンド、２０…間隙、３０…金型、３０１…上金型（第１金型）、３０２…下金型（第２金型）、３０３…キャビティー、３０４…ゲート、３０５…ランナー、Ｌ４…全長、ｔ３…厚さ、ｔ４…総厚、ｔ４１…厚さ、ｔ４２…厚さ、ｔ５…厚さ、ｔ９…厚さ、Ｗ４１…幅、Ｗ４２…幅、Ｗ５…幅、α３５…矢印
【図１】
2019158817.tif 000003
【図２】
2019158817.tif 000004
【図３】
2019158817.tif 000005
【図４】
2019158817.tif 000006
【図５】
2019158817.tif 000007
【図６】
2019158817.tif 000008
【図７】
2019158817.tif 000009
【図８】
2019158817.tif 000010
【図９】
2019158817.tif 000011
【図１０】
2019158817.tif 000012
【図１１】
2019158817.tif 000013